(57)【要約】【課題】連続紙両面プリンタの、片面印刷において、リソースを効率よく運用し、生産性を向上。【解決手段】両面印刷においてはプリンタコントローラ２１から奇数，偶数ページ画像データをオモテ面，ウラ面画像処理装置２７，２８に与え、該処理装置２７，２８が処理した画像データに基づいて印刷エンジン２９で、連続紙の表にある奇数ページ画像を印刷しているときに、並行して、該連続紙の裏に、該ある奇数ページの次の偶数ページとは異なる偶数ページの画像を形成する、連続紙両面プリンタにおいて、片面印刷においては、コントローラ２１から奇数，偶数ページの画像データを処理装置２７，２８に与えるが、処理装置２７，２８の一方（他方）に画像データを与えるとき他方（一方）には白紙画像データ又は白紙指示を与える。【選択図】図３
2011207207.tif 000002
【特許請求の範囲】
【請求項１】
連続紙のオモテ面に印刷するための画像データの画像処理を行うオモテ面画像処理装置と、
前記連続紙のウラ面に印刷するための画像データの画像処理を行うウラ面画像処理装置と、
印刷データをページ単位の画像データに変換し、両面印刷時には、奇数ページの画像データを前記オモテ面画像処理装置に送出し、偶数ページの画像データを前記ウラ面画像処理装置に送出するプリンタコントローラと、
前記オモテ面画像処理装置により画像処理された画像データと前記ウラ面画像処理装置により画像処理された画像データとに基づいて、前記連続紙の表にある奇数ページの画像を形成し、前記奇数ページの画像データの画像形成と並行して、前記連続紙の裏に、印刷中の奇数ページの次の偶数ページとは異なる偶数ページの画像を形成する印刷エンジンと、を備え、
前記プリンタコントローラは、片面印刷時には、奇数ページの画像データを前記オモテ面画像処理装置に送出する場合に、前記ウラ面画像処理装置には白紙画像データ又は白紙指示を送出し、偶数ページの画像データを前記ウラ面画像処理装置に送出する場合に、前記白紙画像データ又は前記白紙指示を前記オモテ面画像処理装置に送出することを特徴とする連続紙両面プリンタ。
【請求項２】
前記印刷エンジンは、片面印刷時に、前記連続紙に対する前記奇数ページの画像データに基づく画像形成と白紙出力とを並行して行い、次に、前記偶数ページの画像形成と白紙出力とを並行して行い、前記奇数ページの画像データに基づく画像形成および白紙出力と、前記偶数ページの画像データに基づく画像形成および白紙出力とを交互に繰り返し実行することを特徴とする請求項１に記載の連続紙両面プリンタ。
【請求項３】
記憶部をさらに備え、
前記プリンタコントローラは、さらに、前記印刷データから変換されたページ単位の画像データを前記記憶部に保存し、
前記オモテ面画像処理装置は、さらに、再印刷の片面印刷時には、奇数ページの画像データを前記記憶部から読み出して、前記画像処理を行い、
前記ウラ面画像処理装置は、さらに、再印刷の片面印刷時には、前記オモテ面画像処理装置による前記奇数ページの画像データの画像処理と並行して、偶数ページの画像データを前記記憶部から読み出して、前記画像処理を行い、
前記印刷エンジンは、さらに、再印刷の片面印刷時に、前記連続紙に対する前記奇数ページの画像データに基づく画像形成と前記偶数ページの画像形成とを並行して、次に、前記奇数ページの白紙出力と前記偶数ページの白紙出力とを並行して行い、前記奇数ページおよび前記偶数ページの画像データに基づく画像形成と前記白紙出力とを交互に繰り返し実行することを特徴とする請求項１または２に記載の連続紙両面プリンタ。
【請求項４】
前記ウラ面画像処理装置は、片面印刷時は、画像データを１８０度回転させる画像処理を行うことを特徴とする請求項１〜３のいずれか一つに記載の連続紙両面プリンタ。
【請求項５】
前記プリンタコントローラと、前記オモテ面画像処理装置および前記ウラ面画像処理装置とは、並行して画像データを転送可能な多重化伝送路で接続されていることを特徴とする、請求項１〜４のいずれか一つに記載の連続紙両面プリンタ。
【請求項６】
前記多重化伝送路はＰＣＩ  Ｅｘｐｒｅｓｓに準拠した伝送路であることを特徴とする請求項５に記載の連続紙両面プリンタ。
【請求項７】
前記印刷エンジンによるオモテ面の印刷後に、前記連続紙を反転して前記印刷エンジンに搬送する搬送経路をさらに備え、
前記印刷エンジンは、前記印刷エンジンの作像可能幅に対して略１／２となる用紙幅サイズの用紙に対して、作像可能幅の片側略１／２幅においてオモテ面を画像形成し、前記オモテ面の印刷後に前記搬送経路から反転して搬送されてきた前記連続紙のウラ面に、作像可能幅の他方の側略１／２幅を使用して、前記連続紙の搬送方向の同一位置でオモテ面と並行してウラ面の画像形成を行うことを特徴とする請求項１〜６のいずれか１つに記載の連続紙両面プリンタ。
【請求項８】
連続紙両面プリンタで実行される印刷方法であって、
オモテ面画像処理装置が、連続紙のオモテ面に印刷するための画像データの画像処理を行うステップと、
ウラ面画像処理装置が、前記連続紙のウラ面に印刷するための画像データの画像処理を行うステップと、
プリンタコントローラが、印刷データをページ単位の画像データに変換し、両面印刷時には、奇数ページの画像データを前記オモテ面画像処理装置に送出し、偶数ページの画像データを前記ウラ面画像処理装置に送出するステップと、
印刷エンジンが、前記オモテ面画像処理装置により画像処理された画像データと前記ウラ面画像処理装置により画像処理された画像データとに基づいて前記連続紙の表にある奇数ページの画像を形成し、前記奇数ページの画像データの画像形成と並行して、前記連続紙の裏に、印刷中の奇数ページの次の偶数ページとは異なる偶数ページの画像を形成するステップと、
前記プリンタコントローラが、片面印刷時には、奇数ページの画像データを前記オモテ面画像処理装置に送出する場合に、前記ウラ面画像処理装置には白紙画像データ又は白紙指示を送出し、偶数ページの画像データを前記ウラ面画像処理装置に送出する場合に、前記白紙画像データ又は前記白紙指示を前記オモテ面画像処理装置に送出するステップと、
を含むことを特徴とする印刷方法。
【発明の詳細な説明】
【技術分野】
【０００１】
本発明は、連続紙両面プリンタおよび印刷方法に関し、連続紙の表にある頁の画像（表画像）を印刷しているときに、並行して、該連続紙の裏に、該ある頁と異なる頁の画像（ウラ画像）を印刷する連続紙両面プリンタにおける片面印刷に関する。
【背景技術】
【０００２】
ホスト装置（コンピュータ）からの印刷要求を、プリンタコントローラで一旦受けた後、プリンタコントローラとインターフェース（以下、Ｉ／Ｆともいう）で接続されたプリンタ（画像形成装置）にて印刷を行う画像形成システムは既に知られている。また高速印刷を可能とする連続紙を使用するプリンタは、急激な用紙搬送停止による用紙へのダメージを防止するため、用紙搬送速度をリニアに可変できるものも既に知られている。なおプリンタ内にはプリンタコントローラとの応答を行うためのＩ／Ｆ（インターフェース）およびＩ／Ｆコントローラ，印刷機構，プリンタコントローラから送られる画像データを印刷機構の作像特性に適合するように補正する画像処理装置、および、印刷機構を制御するプロセスコントローラがある。
【０００３】
１台の連続紙プリンタにおいて両面印刷を実現するため、印刷機構にある画像転写部の物理幅に対して１／２となる用紙幅サイズの用紙に対して、画像転写部の片側１／２幅においてオモテ面を印刷後、用紙搬送パスにて用紙の反転搬送を行い、再度画像転写部のもう一方側１／２幅を使用して印刷することで両面印刷を並行して実現する連続紙プリンタが存在する（以降ＳＥＤ方式連続紙プリンタと呼ぶ）。その一例が、特許文献１（公報図５参照）に記載されている。特許文献１にはまた、２台の印刷機構をタンデム（シリアル）に配置して、１台目で連続紙の表面に画像を形成しそして連続紙の表裏を反転して２台目で裏面に画像を形成し、この裏面の画像形成を、１台目の表面の画像形成と並行して行う連続紙プリンタも記載されている（公報図１０参照）。いずれのプリンタも、表面画像形成と該表面画像の裏に形成する裏面画像形成とは時間差がある。すなわち、連続紙の表に、ある頁の画像（表画像）を印刷しているときに、並行して、該連続紙の裏に、該ある頁と異なる頁の裏面に形成すべき裏画像を形成する。したがって、一枚のカット用紙に相当する連続紙上の頁コマの一つのオモテ面の画像形成とそのウラ面への画像形成とは、時間差がある。
【０００４】
図６に、ＳＥＤ方式連続紙プリンタの概要を示す。連続紙１は、その幅の２倍以上の作像領域がある作像機構２の記録ドラム３とローラ４の左半分領域を通行し、両面印刷の場合は、そのオモテ面に作像機構２によって画像が形成される。そして反転ローラ５を通行し戻しローラ６，７を経て表裏反転状態で作像機構２の記録ドラム３とローラ４の右半分領域を通行し、オモテ面となった裏面に、作像機構２によって画像が形成される。
【０００５】
従来のＳＥＤ方式連続紙プリンタにおけるプリンタコントローラからの画像データ処理システムは、オモテ面画像処理装置，ウラ面画像処理装置および画像処理コントローラの３つで構成されており、オモテ面画像処理装置／ウラ面画像処理装置がそれぞれの印刷ページの画像処理を実施し、画像処理コントローラ（Ｉ／Ｆコントローラおよびプロセスコントローラ）がプリンタの状態通知や、オモテ面／ウラ面画像処理の同期制御を実行する構成になっている。
【０００６】
図７に、従来のＳＥＤ方式連続紙両面プリンタにおける片面印刷ジョブ処理時のプリンタコントローラ２１からオモテ面画像処理装置２７、ウラ面画像処理装置２８へのデータ送信のタイミングを示す。従来の片面印刷では、プリンタコントローラ２１は印刷ジョブから作成した印刷イメージデータ（画像データ）を、オモテ面画像処理装置２７へ送出すると共に、そのシートのウラ面にあたる白紙指示をウラ面画像処理装置２８へ送信していた。また併せてオモテ面画像処理装置２７／ウラ面画像処理装置２８へ画像データもしくは白紙指示の送信完了のたび、ページデータ送信完了通知を画像処理コントローラ（Ｉ／Ｆコントローラ２５、プロセスコントローラ）に行っている。オモテ面画像処理装置２７は受信した画像データに画像処理を行った後、プロセスコントローラ（不図示）へページデータ印刷可能状態通知を行うが、ウラ面画像処理装置２８は、プリンタコントローラ２１より白紙指示を受信しているために画像処理を行う必要がないことから、指示受信次第、プロセスコントローラへページデータ印刷可能状態通知を行う。プロセスコントローラは、オモテ面画像処理装置２７とウラ面画像処理装置２８からのページデータ印刷可能状態通知が揃うのを待ってから印刷機構へ紙送り指示を実施すると共に、オモテ面画像処理装置２７とウラ面画像処理装置２８に対して印刷機構への画像データ送信を指示する。
【０００７】
このように、従来のＳＥＤ連続紙プリンタの片面印刷ジョブの印刷においては、プリンタコントローラ２１は、印刷イメージをオモテ面画像処理装置２７にのみ印刷イメージの画像処理を実施させ、ウラ面画像処理装置２８に対しては白紙コマンドを送出していた。そのため片面ジョブ印刷時は、オモテ面画像処理装置２７に処理が集中しており、ウラ面画像処理装置２８は何も行わない状態となり、リソースの効率的な活用ができていないという問題があった。
【０００８】
特許文献２には、連続紙プリンタにて両面印刷を効率よく行う目的で、制御装置内にページ単位のオモテ面／ウラ面用キュー（メモリ）をもち、ウラ面に画像を印刷しない場合はＮＰＯデータをキュー内に入れておくことで、オモテ面用ドラムとウラ面用ドラムに距離がある場合においても効率よく印刷できる連続紙両面印刷の制御方法が開示されている。しかし、片面印刷時の生産性向上という問題は解消できていない。
【０００９】
特許文献３には、２台のプリンタでカット紙に印刷する際に、トナー消費の均等化を目的として、奇数ページを第１プリンタで行い、偶数ページを第２プリンタで印刷することが記載されている。しかしながら、この特許文献３の技術でも、片面印刷時の生産性向上という問題は解消できていない。
【発明の概要】
【発明が解決しようとする課題】
【００１０】
本発明は、上記に鑑みてなされたものであって、連続紙の表にある奇数ページの画像（オモテ画像）を印刷しているときに、並行して、該連続紙の裏に、該ある奇数ページの次の偶数ページとは異なる偶数ページの画像（ウラ画像）を形成する連続紙両面プリンタにおいて、片面印刷においてリソースを効率よく運用し、生産性を向上することができる連続紙両面プリンタおよび印刷方法を提供することを目的とする。
【課題を解決するための手段】
【００１１】
上述した課題を解決し、目的を達成するために、請求項１にかかる連続紙両面プリンタは、連続紙のオモテ面に印刷するための画像データの画像処理を行うオモテ面画像処理装置と、前記連続紙のウラ面に印刷するための画像データの画像処理を行うウラ面画像処理装置と、印刷データをページ単位の画像データに変換し、両面印刷時には、奇数ページの画像データを前記オモテ面画像処理装置に送出し、偶数ページの画像データを前記ウラ面画像処理装置に送出するプリンタコントローラと、前記オモテ面画像処理装置により画像処理された画像データと前記ウラ面画像処理装置により画像処理された画像データとに基づいて、前記連続紙の表にある奇数ページの画像を形成し、前記奇数ページの画像データの画像形成と並行して、前記連続紙の裏に、印刷中の奇数ページの次の偶数ページとは異なる偶数ページの画像を形成する印刷エンジンと、を備え、前記プリンタコントローラは、片面印刷時には、奇数ページの画像データを前記オモテ面画像処理装置に送出する場合に、前記ウラ面画像処理装置には白紙画像データ又は白紙指示を送出し、偶数ページの画像データを前記ウラ面画像処理装置に送出する場合に、前記白紙画像データ又は前記白紙指示を前記オモテ面画像処理装置に送出することを特徴とする。
【００１２】
また、請求項２にかかる連続紙両面プリンタは、請求項１に記載の連続紙両面プリンタにおいて、前記印刷エンジンは、片面印刷時に、前記連続紙に対する前記奇数ページの画像データに基づく画像形成と白紙出力とを並行して行い、次に、前記偶数ページの画像形成と白紙出力とを並行して行い、前記奇数ページの画像データに基づく画像形成および白紙出力と、前記偶数ページの画像データに基づく画像形成および白紙出力とを交互に繰り返し実行することを特徴とする。
【００１３】
また、請求項３にかかる連続紙両面プリンタは、請求項１または２に記載の連続紙両面プリンタにおいて、記憶部をさらに備え、前記プリンタコントローラは、さらに、前記印刷データから変換されたページ単位の画像データを前記記憶部に保存し、前記オモテ面画像処理装置は、さらに、再印刷の片面印刷時には、奇数ページの画像データを前記記憶部から読み出して、前記画像処理を行い、前記ウラ面画像処理装置は、さらに、再印刷の片面印刷時には、前記オモテ面画像処理装置による前記奇数ページの画像データの画像処理と並行して、偶数ページの画像データを前記記憶部から読み出して、前記画像処理を行い、前記印刷エンジンは、さらに、再印刷の片面印刷時に、前記連続紙に対する前記奇数ページの画像データに基づく画像形成と前記偶数ページの画像形成とを並行して、次に、前記奇数ページの白紙出力と前記偶数ページの白紙出力とを並行して行い、前記奇数ページおよび前記偶数ページの画像データに基づく画像形成と前記白紙出力とを交互に繰り返し実行することを特徴とする。
【００１４】
また、請求項４にかかる連続紙両面プリンタは、請求項１〜３のいずれか一つに記載の連続紙両面プリンタにおいて、前記ウラ面画像処理装置は、片面印刷時は、画像データを１８０度回転させる画像処理を行うことを特徴とする。
【００１５】
また、請求項５にかかる連続紙両面プリンタは、請求項１〜４のいずれか一つに記載の連続紙両面プリンタにおいて、前記プリンタコントローラと、前記オモテ面画像処理装置および前記ウラ面画像処理装置とは、並行して画像データを転送可能な多重化伝送路で接続されていることを特徴とする。
【００１６】
また、請求項６にかかる連続紙両面プリンタは、請求項５に記載の連続紙両面プリンタにおいて、前記多重化伝送路はＰＣＩ  Ｅｘｐｒｅｓｓに準拠した伝送路であることを特徴とする。
【００１７】
また、請求項７にかかる連続紙両面プリンタは、請求項１〜６のいずれか１つに記載の連続紙両面プリンタにおいて、前記印刷エンジンによるオモテ面の印刷後に、前記連続紙を反転して前記印刷エンジンに搬送する搬送経路をさらに備え、前記印刷エンジンは、前記印刷エンジンの作像可能幅に対して略１／２となる用紙幅サイズの用紙に対して、作像可能幅の片側略１／２幅においてオモテ面を画像形成し、前記オモテ面の印刷後に前記搬送経路から反転して搬送されてきた前記連続紙のウラ面に、作像可能幅の他方の側略１／２幅を使用して、前記連続紙の搬送方向の同一位置でオモテ面と並行してウラ面の画像形成を行うことを特徴とする。
【００１８】
また、請求項８にかかる印刷方法は、連続紙両面プリンタで実行される印刷方法であって、オモテ面画像処理装置が、連続紙のオモテ面に印刷するための画像データの画像処理を行うステップと、ウラ面画像処理装置が、前記連続紙のウラ面に印刷するための画像データの画像処理を行うステップと、プリンタコントローラが、印刷データをページ単位の画像データに変換し、両面印刷時には、奇数ページの画像データを前記オモテ面画像処理装置に送出し、偶数ページの画像データを前記ウラ面画像処理装置に送出するステップと、印刷エンジンが、前記オモテ面画像処理装置により画像処理された画像データと前記ウラ面画像処理装置により画像処理された画像データとに基づいて前記連続紙の表にある奇数ページの画像を形成し、前記奇数ページの画像データの画像形成と並行して、前記連続紙の裏に、印刷中の奇数ページの次の偶数ページとは異なる偶数ページの画像を形成するステップと、前記プリンタコントローラが、片面印刷時には、奇数ページの画像データを前記オモテ面画像処理装置に送出する場合に、前記ウラ面画像処理装置には白紙画像データ又は白紙指示を送出し、偶数ページの画像データを前記ウラ面画像処理装置に送出する場合に、前記白紙画像データ又は前記白紙指示を前記オモテ面画像処理装置に送出するステップと、を含むことを特徴とする。
【発明の効果】
【００１９】
本発明により、ページ数が多い場合に、画像処理装置による全ページの画像処理に必要とする総時間を約半分に短縮することができるので、連続紙両面プリンタにおける片面印刷ジョブの生産性を向上することができる。
【図面の簡単な説明】
【００２０】
【図１】図１は、実施例１の画像データ処理システムの概要を示すブロック図である。
【図２】図２は、実施例１のプリンタコントローラ２１の各ページ画像データの出力順および印刷エンジンの作像順を流れで示すブロック図である。
【図３】図３（ａ）は、実施例１のＳＥＤ方式連続紙両面プリンタの、記録ドラムに進入する連続紙１上の、ページコマ区分を点線で示す斜視図である。図３（ｂ）は、作像後の連続紙上のページ番号を示す斜視図である。
【図４】図４は、実施例２のＳＥＤ方式連続紙両面プリンタにおける印刷エンジンの作像順を流れで示すブロック図である。
【図５】図５は、実施例２のＳＥＤ方式連続紙両面プリンタの、記録ドラムに進入する連続紙上の、ページコマ区分を点線で示す斜視図である。
【図６】図６は、ＳＥＤ方式連続紙両面プリンタの外観を示す斜視図である。
【図７】図７は、従来のＳＥＤ方式連続紙両面プリンタのプリンタコントローラによる片面印刷時の各ページ画像データの出力順を、流れで示すブロック図である。
【発明を実施するための形態】
【００２１】
以下に添付図面を参照して、この発明にかかる連続紙両面プリンタおよび印刷方法の実施形態を詳細に説明する。
【００２２】
本実施の形態では、プリンタコントローラがプロセスコントローラに対して片面印刷ジョブであることを通知すると共に、奇数ページの画像データをオモテ面画像処理装置へ送出し、偶数ページの画像データをウラ面画像処理装置へ送出して、画像処理を並行して行わせることで全ページの画像処理に必要な総時間を短縮する。
【実施例】
【００２３】
（実施例１）
図１に、実施例１のＳＥＤ方式連続紙両面プリンタ２０の画像形成システムの概要を示す。なお本実施例のＳＥＤ方式連続紙両面プリンタ２０の機構は、図６に示す従来例と同様である。上位ホスト（コンピュータ）から送信された印刷データは、プリンタコントローラ２１が、ページ毎の印刷イメージデータ（画像データ）に変換するＲＩＰ（Ｒａｓｔｅｒ  Ｉｍａｇｅ  Ｐｒｏｃｅｓｓｏｒ）処理を行う。プリンタコントローラ２１は、変換された画像データのうち、オモテ面に印刷する画像データはオモテ面画像処理装置２７に、ウラ面に印刷する画像データはウラ面画像処理装置２８に送出する。
【００２４】
プリンタコントローラ２１とオモテ面画像処理装置２７およびウラ面画像処理装置２８との間の画像データ伝送路は、多重化されたデータ転送経路２４であり、オモテ面画像処理装置２７への画像データはデータ転送経路２４の内の画像データ伝送路２２で、ウラ面画像処理装置２８への画像データは画像データ伝送路２３で、同時並行して転送できる。これにより高速なデータ転送が可能である。データ転送経路２４は、物理的に複数本のケーブルであってもよいし、論理的に分離された１本のケーブルであってもよい。本実施例では、データ転送経路２４は、ＰＣＩ  Ｅｘｐｒｅｓｓ（ＰＣＩｅ）に準拠した光ケーブルである。
【００２５】
画像データを受け取ったオモテ面画像処理装置２７，ウラ面画像処理装置２８は、印刷エンジン２９の印刷機構の画像表現特性に適合する画像データに補正する。この補正の終了後、オモテ面画像処理装置２７，ウラ面画像処理装置２８は、プロセスコントローラ２６に処理完了を通知する。プロセスコントローラ２６は、オモテ面画像処理装置２７，ウラ面画像処理装置２８の処理完了を受けて、それぞれに印刷エンジン２９の印刷機構への画像データ送信指示を行うとともに、印刷機構に対して紙送り指示を実施する。
【００２６】
図２は、図１に示す画像処理システムにおける、片面印刷ジョブ処理時の、プリンタコントローラ２１からオモテ面，ウラ面画像処理装置２７，２８への画像データ転送形態を示す。本実施例の片面印刷では、プリンタコントローラ２１は、上位ホスト１９が与えた印刷ジョブから作成した画像データ（印刷イメージデータ）を、奇数ページはオモテ面画像処理装置２７へ、偶数ページはウラ面画像処理装置２８へ送信する。オモテ面画像処理装置２７は、受信した画像データが印刷イメージデータの場合は、印刷エンジン２９の作像特性に適応する画像データに補正する画像処理を行い、白紙指示の場合は該処理を行わずにプロセスコントローラ２６へページ印刷可能状態通知を行う。ウラ面画像処理装置２８も同様の処理を実施するが、片面印刷モードで印刷イメージデータを受信した場合は、ウラ面画像の向きをオモテ面画像の向きに揃えるため、画像を１８０度回転する、画像データの回転処理も併せて実施する。
【００２７】
プロセスコントローラ２６は、オモテ面画像処理装置２７とウラ面画像処理装置２８からのページデータ印刷可能状態通知が揃うのを待ってから、印刷機構へ紙送り指示を実施するが、その際には２シート（頁単位の２コマ）の紙送り指示を行うことで、オモテ面画像処理装置２７とウラ面画像処理装置２８がそれぞれ生成した画像処理済ページを交互に印刷するように印刷機構へ指示する。この印刷イメージデータ送出方式により、２つの画像処理装置が並列で画像処理を行うことが可能となり、画像処理に掛かる時間が約１／２に短縮される。
【００２８】
図３は、実施例１の片面印刷ジョブ処理時の印刷順序と印刷結果を示す。実施例１の片面印刷では、図３の（ａ）に示すように、オモテ面，ウラ面印刷のいずれも連続紙１ページ飛びに、オモテ面，ウラ面の印刷を交互に行う。そのため連続紙を折りたたむ場合、図３の（ｂ）に示すように、印刷面が常に上になるという利点もある。
【００２９】
なお本実施例では、オモテ印刷をしたページが裏返しになって記録ドラム３に戻ってくるまでに２Ａ個のコマ（２Ａ個のシート）の遅れがある。すなわち、奇数ページの次の偶数ページの印刷は、該奇数ページを印刷してから２Ａ個のコマの連続紙送り後に行わなければ、ページ画像のページ間連続性（図３の（ｂ））が失われる。したがって本実施例では、片面印刷モードでは、プリンタコントローラ２１は、奇数ページの画像データの送出から２Ａ個のコマの連続紙送り分の遅延の後に、偶数ページの画像データを送出する。
【００３０】
第１頁の画像を表面に印刷したシート（コマ）の裏面が記録ドラム３に戻るまで２Ａ個のコマ送りがあり、その間は図２に２点鎖線ブロックで示すように、画像は１頁（１コマ）飛びで形成すればよい。したがって、プロセスコントローラ２６は、第１頁（第１コマ）から２Ａコマの繰り返し作像の間は、１頁の作像ごとに２コマの連続紙送りを行う。２Ａコマの連続紙送りの後は、連続紙のオモテ面への奇数ページ印刷とウラ面への偶数ページ印刷とを交互におこなうので、１頁の作像ごとに１コマの連続紙送りを行う。
【００３１】
このように本実施例では、プリンタコントローラ２１が単純に１ページずつＲＩＰ処理を行い、オモテ面画像処理装置２７、ウラ面画像処理装置２８が交互に動作して、プリンタコントローラ２１の処理と、オモテ面画像処理装置２７とウラ面画像処理装置２８の処理時間を連動させるので、ページ数が多い場合に、ＳＥＤ方式連続紙両面プリンタ２０による全ページの画像処理に必要とする総時間を約半分に短縮することができ、ＳＥＤ方式連続紙両面プリンタ２０における片面印刷ジョブの生産性を向上することができる。
【００３２】
（実施例２）
実施例１では、プリンタ動作においてプリンタコントローラ２１が１ページずつＲＩＰ処理を行い、オモテ面画像処理装置２７、ウラ面画像処理装置２８が交互に動作するものであったが、この実施例２では、既にＲＩＰ済みの画像の再印刷を実施するものである。
【００３３】
図４は、実施例２のＳＥＤ方式連続紙両面プリンタ２０における印刷エンジンの作像順を流れで示すブロック図である。本実施例のＳＥＤ方式連続紙両面プリンタ２０は、実施例１と同様に、上位ホスト１９と接続されており、プリンタコントローラ２１と、オモテ面画像処理装置２７と、ウラ面画像処理装置２８と、印刷エンジン２９と、記憶部４０１とを主に備えている。
【００３４】
プリンタコントローラ２１は、実施例１と同様に、上位ホスト１９から印刷データを受信し、ＲＩＰ処理を行う。本実施例では、プリンタコントローラ２１は、ＲＩＰ処理後の画像データを、実施例１と同様に、ＲＩＰ処理後ただちに、オモテ面画像処理装置２７およびウラ面画像処理装置２８に送出して印刷処理を行う他、ＲＩＰ処理後の画像データを記憶部４０１に保存する。
【００３５】
オモテ面画像処理装置２７、ウラ面画像処理装置２８は、実施例１と同様に、プリンタコントローラ２１から送出された画像データの画像処理を行うが、本実施例では、さらにプリンタコントローラ２１から再印刷の指令があった場合に、記憶部４０１に保存された画像データに対して実施例１と同様の画像処理を行う。
【００３６】
図５は、実施例２のＳＥＤ方式連続紙両面プリンタ２０の、記録ドラム３に進入する連続紙１上の、ページコマ区分を点線で示す斜視図である。
【００３７】
本実施例では、記憶部４０１に保存された画像データの再印刷を行う場合であって、片面印刷指示をうけた場合、図４、図５に示すように、オモテ面画像処理装置２７、ウラ面画像処理装置２８が同時に（並行して）動作して、印刷エンジン２９がオモテ面とウラ面とを同時に（並行して）印刷し、次のページでは、両方白紙印刷を行い、これを交互に実行する。
【００３８】
また、本実施例では、記憶部４０１の画像データを再印刷する場合には、オモテ印刷をしたページが裏返しになって記録ドラム３に戻ってくるまでの搬送路を２Ａ＋１個のコマ（２Ａ＋１個のシート）に相当する用紙経路長としている。これにより、オモテ面とウラ面とを同時に印刷することが可能となる。
【００３９】
なお、図４，図５の例では、搬送路が２Ａ＋１個のコマの例を示しているが、搬送路を２Ａ−１個のコマの長さとしてもよい。
なお、本実施例では再印刷時に適用することとしたが、オモテ面画像処理装置２７およびウラ面画像処理装置２８の少なくともいずれか一方に、少なくとも１ページ分のバッファ部を設け、バッファ部を設けた画像処理装置からの印刷エンジン２９への１ページ分の送出タイミングを変更する。これにより、通常印刷時にも本構成を適用することも可能である。
【００４０】
また、本実施例では、実施例１と同様の通常印刷の場合には、オモテ面画像処理装置２７、ウラ面画像処理装置２８が交互に動作して、各ページを交互に印刷するため、オモテ印刷をしたページが裏返しになって記録ドラム３に戻ってくるまでの搬送路の用紙経路長は、実施例１と同様に、２Ａのコマである必要がある。このため、本実施例では、通常印刷を行う場合と再印刷を行う場合とで、上記搬送路の用紙経路長を、２Ａコマと２Ａ＋１コマ（あるいは２Ａ−１コマ）とで切り替えている。具体的には、物理的に用紙経路長を切替えるように構成することができる。用紙経路長の切り替えは、例えば、戻しローラ６、７を用紙経路が１ページ分だけ短く（長く）なるように、軸と直交方向に移動させる、若しくは、画像エンジン部（例えば、インクジェット印刷装置）のヘッド自体を、用紙に対して用紙搬送方向に１／２ページ分平行移動させる。  
【００４１】
このように本実施例では、ページごとに実印刷、全面白紙印刷を繰り返すこととなり、特に、印刷エンジン２９が広幅の１台の場合、一度に印刷することが可能となり、効率的な印刷が可能となる。
【００４２】
また、本実施例では記憶部４０１に記録された印刷データの再印刷を行う場合の動作であるが、プリンタコントローラ２１がジョブを受信すると、まずは印刷ページを生成して一旦プリンタコントローラ内に保存し、ジョブ内のいくつかのページデータを作成してから（好ましくは全ページ）画像処理装置へ印刷データを送信する動作にすることで、図２のプリンタコントローラ２１からオモテ面画像処理装置２７とウラ面画像処理装置２８間では白紙指示時には実ページデータを送らないため、奇数ページと偶数ページとがほぼ同時間で到達可能である。このため、オモテ面とウラ面の画像処理がほぼ同時に実行できる。従って、転送時間を１／２に短縮でき、また、連続紙両面プリンタの用紙搬送速度を２倍速としても印刷実行（追従）可能となる。本実施例の方法であれば、実施例１のようにジョブデータを受信しながらページデータを生成し、生成終了次第、画像処理装置に印刷データを送付する場合に、ページデータ生成時間が、データ転送経路２４内をデータ転送する時間よりもかかる場合の、奇数ページのデータと、偶数ページのデータを同時に送付することはできないという問題も解決でき、効率的に印刷可能である。
【００４３】
なお、上記実施例１，２を実施する場合、ＳＥＤ方式連続紙両面プリンタ２０の外観構成は、図６に示す態様に限らず、作像機構２は静電写真方式（レーザプリンタ）でもインクジェットプリンタでも、またその他の同様な広幅印刷ができるものであればよい。また、１台で広幅印刷するのに代えて、２台を並べたものであっても良い。また、記録ドラムおよびローラは軸長が長い広幅一組として、作像プロセス要素は２組を並べたものとしてもよい。
【符号の説明】
【００４４】
１：連続紙
２：作像機構
３：記録ドラム
４：ローラ
５：反転ローラ
６，７：戻しローラ
１９：上位ホスト
２０：連続紙両面プリンタ
２１：プリンタコントローラ
２２，２３：画像データ伝送路
２４：多重化したデータ転送経路
２５：Ｉ／Ｆコントローラ
２６：プロセスコントローラ
２７：オモテ面画像処理装置
２８：ウラ面画像処理装置
２９：印刷エンジン（印刷機構）
４０１：記憶部
【先行技術文献】
【特許文献】
【００４５】
【特許文献１】特開平８−２０１７号公報
【特許文献２】特許第３８５２１４８号公報
【特許文献３】特開２００９−５８６２３号公報
【図１】
2011207207.tif 000003
【図２】
2011207207.tif 000004
【図３】
2011207207.tif 000005
【図４】
2011207207.tif 000006
【図５】
2011207207.tif 000007
【図６】
2011207207.tif 000008
【図７】
2011207207.tif 000009